(57)【要約】【課題】従来の冷蔵庫の扉は、外形が直方体状或いは円柱状に係わらずスイング式であるため、扉自体の大きさも大きく、扉の開閉には冷蔵庫前面に大きな空間が必要となるという課題があった。【解決手段】冷却手段により内部の温度を調整する冷蔵庫であって、当該冷蔵庫筐体の内形の一部或いは全部が円柱状に形成され、該円柱状側面に沿って設けられる開口部に、スライドさせて開閉する扉を具備することを特徴とする冷蔵庫であり、冷蔵庫の設置場所に制限を受けず、かつ、扉の開閉時に冷蔵庫前面部に大きな空間を必要としない冷蔵庫である。さらに、冷蔵庫筐体の内形の一部或いは全部を形成する円柱状の中心または中心近傍に中心を有するターンテーブルを、内部に一以上具備することを特徴とする冷蔵庫であり、冷却室後方にある被冷却物の出し入れがより容易な冷蔵庫である。【選択図】  図１
2005009698.tif 000002
【特許請求の範囲】
【請求項１】
温度調整手段により内部の温度を調整する温度調整庫であって、当該温度調整庫筐体の内形の一部或いは全部が円柱状に形成され、該円柱状側面に沿って設けられる開口部に、スライドさせて開閉する扉を具備することを特徴とする温度調整庫。
【請求項２】
前記開口部に、前記スライドさせて開閉する扉を２以上具備することを特徴とする請求項１記載の温度調整庫。
【請求項３】
前記開口部に一つの扉と他の扉を一対にして具備し、該一つの扉と他の扉が各々逆の方向に開閉することを特徴とする請求項１から請求項２いずれか記載の温度調整庫。
【請求項４】
前記開口部に扉が複数存在し、当該複数の扉の各々が異なるレール上を走行することを特徴とする請求項１から請求項３いずれか記載の温度調整庫。
【請求項５】
引き出し式の扉を一以上さらに具備することを特徴とする請求項１から請求項４いずれか記載の温度調整庫。
【請求項６】
前記温度調整庫筐体の内形の一部或いは全部を形成する円柱状の中心または中心近傍に中心を有するターンテーブルを、内部に一以上具備することを特徴とする請求項１から請求項５いずれか記載の温度調整庫。
【請求項７】
前記ターンテーブルは、
当該ターンテーブルの下に存在し、当該ターンテーブルの円周と同じ、または当該ターンテーブルの円周より小さい円周をもつレール上を回転するターンテーブルである請求項６記載の温度調整庫。
【請求項８】
前記スライドさせて開閉する扉に外ポケットを有する請求項１から請求項７いずれか記載の温度調整庫。
【請求項９】
冷却手段により内部の温度を調整する冷蔵庫であって、当該冷蔵庫筐体の内形の一部或いは全部が円柱状に形成され、該円柱状側面に沿って設けられる開口部に、スライドさせて開閉する扉を具備することを特徴とする冷蔵庫。
【請求項１０】
前記冷蔵庫筐体の内形の一部或いは全部を形成する円柱状の中心または中心近傍に中心を有するターンテーブルを、内部に一以上具備することを特徴とする請求項９記載の冷蔵庫。
【請求項１１】
前記スライドさせて開閉する扉に外ポケットを有する請求項９または請求項１０いずれか記載の冷蔵庫。
【発明の詳細な説明】
【０００１】
【発明の属する技術分野】
本発明は、温度調整庫、例えば、冷蔵庫、冷凍庫、保温庫、ワインクーラー等に関するものである。
【０００２】
【従来の技術】
最も広く普及する従来の冷蔵庫は、コンプレッサーなどから成る冷却手段によって、冷蔵庫内部に設けられた冷却室が冷却される。冷却室はそれぞれ冷却したい温度によって分けられており、例えば、冷蔵室、野菜室、冷凍室と便宜的に呼ばれている。冷蔵室や野菜室に被冷却物を出し入れするために、冷蔵庫前面部に扉が設けられている。扉には、スイング式、引き出し式、引き違い戸式などがある。家庭用、業務用に係わらず、殆どの冷蔵庫の扉はスイング式と引出し式或いはそれらの組合せである。倉庫用（プレハブ冷蔵庫とも呼ばれる）、ショウケース用には引き違い戸式と呼ばれるタイプが見受けられる。いずれにしても、生活様式の変化に伴い容量が増大して冷蔵庫が大型化すると共に扉自体の大きさも大きくなり、特にスイング式扉（以降、スイングドアと略す）は開閉の際、冷蔵庫前面に大きな空間が必要である。これを改善するために、両開きいわゆる観音開きのスイングドアも見受けられる。冷蔵庫は、背面部を部屋の壁に近接させた状態で、また側面部を部屋の壁や他の家庭用機器に近接させた状態で設置されることが多い。このため、従来の冷蔵庫筐体の外形が直方体状に形成されてきた。冷蔵庫筐体の外形が直方体状であるために、通常、冷蔵庫筐体の内形も直方体状である。この直方体という形状から、必然的にスイングドアか、引き出し式が採用されている。しかし、スイングドアも引き出し式も、ドアの開閉に際し冷蔵庫前面に大きな空間を要する。また、スイングドアの場合、冷蔵庫の内部後方にある小さい被冷却物を取り出す際にも、ある程度の大きさのスイングが必要で、被冷却物の大きさに見合った小さい開口では取り出せず、かつ、スイングすることによって生じる気流が原因で冷気が外部に逃げやすい欠点がある。特に大型の冷蔵庫の場合には、冷蔵庫内部後方にある被冷却物を取り出すためには、前部にある被冷却物をいったん冷蔵庫外に出して取り出す必要があり、冷蔵庫内の温度が上昇する欠点があった。また、被冷却物の出し入れの容易性を考えると、開口面積が大きいことが望まれるが、直方体の場合は冷蔵庫前面のスイング扉の面積は、周囲側面全体の面積の約４分の１程度しか確保されない。引き違い戸式扉の場合は、その２分の１つまり、周囲側面面積の約８分の１しか確保できず、大きい開口を得ることは困難である。
【０００３】
近年、冷蔵庫を、生活空間を彩るインテリアの一つとして捉えるニーズが増大してきている。これに応えるために、第一の従来技術として、丸みを帯びた外観デザインを特徴とする冷蔵庫がある（特許文献１参照）。
【０００４】
第二の従来技術として、冷蔵庫筐体の外形が円柱状に形成されたことを特徴とする冷蔵庫がある（特許文献２参照）。
【０００５】
第三の従来技術として、直方体の冷蔵庫に引き違い戸を具備した冷蔵庫がある（特許文献３参照）。
【０００６】
【特許文献１】
特開２００１−１１６４３１号公報（第１頁、図１等）
【特許文献２】
特開２００１−３３１４７号公報（第１頁、図１等）
【特許文献３】
特開平１０−１６０３２９号公報（第１頁、図１等）
【０００７】
【発明が解決しようとする課題】
最も広く普及する従来の冷蔵庫は、スイングドア式の扉により開閉するために、扉の開閉時に冷蔵庫前面に大きな空間が必要となること、扉の開口面積の大きさは周囲側面面積全体の約４分の１が限度であること、開口時に冷気が外部に逃げること、冷蔵庫内部後方に置かれた被冷却物の出し入れが不便であるなどの課題があった。また、引き出し式においては、冷蔵庫前面にスイングドアより一層大きな空間が必要となること、引き出し後方に置かれた被冷却物の出し入れ時には、非常に大きい開口が必要で冷気が外部に逃げやすいなどの欠点がある。
【０００８】
また、第一の従来技術における冷蔵庫は、基本的には直方体状に形成されており、外観デザインについて大きな喚起を期待できないばかりか、スイングドアの欠点は改善されていない。かつ冷蔵庫内部後方に置かれた被冷却物の出し入れが大変不便である。
【０００９】
また、第二の従来技術における冷蔵庫は、スイングドアが仮想中心を挟んで相互に反対側の筐体側面部に配置されているため、扉の開閉には冷蔵庫前面ばかりか背面にも大きな空間を必要とし、設置場所に大きな制限がある、という課題があった。
【００１０】
さらに、第三の従来技術における冷蔵庫は、従来通りの直方体にレール２本を要する引き違い戸をつけたため、開口面積が非常に狭く、被冷却物の出し入れが不便である、という課題があった。
【００１１】
【課題を解決するための手段】
以上の課題を解決するために、本発明は、冷却手段により冷却室内部を冷却する冷蔵庫筐体の内形の一部或いは全部が円柱状に形成され、該円柱状側面に沿って設けられる開口部に、スライドさせて開閉する扉（以降、スライドドアと略す）を具備することを特徴とする冷蔵庫である。扉の開閉時に冷蔵庫前面部に大きな空間を必要としないため、冷蔵庫の設置場所に制限を受けず、被冷却物の大きさに応じて扉の開口面積を調節できるため、冷気の喪失を最小限にとどめる利点を持つ。
【００１２】
また、上記の冷蔵庫は、さらに筐体内部にターンテーブルを具備することにより、冷蔵庫内部後方の被冷却物を取り出すのが容易な冷蔵庫である。特に、円柱の内形をもつ場合は、開口面積を周囲側面面積全体の２分の１を越える大きい開口部を実現することも可能で、大きい被冷却物の出し入れに便利である。なお、ターンテーブルは、当該ターンテーブルの下に存在し、当該ターンテーブルの円周と同じ、または当該ターンテーブルの円周より小さい円周をもつレール上を回転するターンテーブルであることが好適である。冷蔵庫の中に邪魔な支柱等を要さず、重い物を積載してもターンテーブルが傾くことはないからである。
【００１３】
また、他の発明は、開口部（一の段の開口部）に扉が複数存在し、当該複数の扉の各々が異なるレール上を走行する冷蔵庫であり、冷蔵庫の前面だけでなく、冷蔵庫周囲のどの方向からもスライドドアを開閉することができる構造とすることが可能である。
【００１４】
さらに、本発明の前記扉は、該開口部に２以上存在することを特徴とする冷蔵庫であり、また他の発明は、該開口部に一つの扉と他の扉が一対にして具備し、該一つの扉と他の扉が各々逆の方向に開閉することを特徴とする冷蔵庫である。いずれの場合も、扉の開閉時に冷蔵庫前面部に大きな空間を必要とせず、開閉時に冷気が逃げず、かつ開口部が大きいため冷却物の出し入れに大変便利な冷蔵庫である。また、多方面の位置から被冷却物を取り出すことができる。
【００１５】
さらに、別の発明は、前記冷蔵庫筐体の内形の一部或いは全部を形成する円柱状の中心または中心近傍に中心を有するターンテーブルを、該冷却室内に一以上具備することを特徴とする冷蔵庫であり、冷却室後方にある被冷却物の出し入れがより容易な冷蔵庫である。
【００１６】
さらに、上記の冷蔵庫は、スライドさせて開閉する扉に外ポケットをさらに有することにより、被冷却物の出し入れがより容易になる。
【００１７】
なお、上記の技術は、冷蔵庫だけではなく、冷凍庫、保温庫、ワインクーラー等の温度調整庫に利用できる。温度調整庫とは、内部に物品を入れ、内部の温度を調整する温度調整手段を具備し、当該温度調整手段により物品の状態を適切に保つことができるものである。温度調整庫の材質や大きさ等は問わない。つまり、上記の冷蔵庫の技術を広く温度調整庫に適用すれば、以下のような温度調整庫になる。温度調整手段により内部の温度を調整する温度調整庫であって、当該温度調整庫筐体の内形の一部或いは全部が円柱状に形成され、該円柱状側面に沿って設けられる開口部に、スライドさせて開閉する扉を具備することを特徴とする温度調整庫、である。かかる温度調整庫により、扉の開閉時に温度調整庫前面部に大きな空間を必要としないため、温度調整庫の設置場所に制限を受けず、内部の物品の大きさに応じて扉の開口面積を調節できるため、効率的な温度調整が可能となる。
【００１８】
また、上記の温度調整庫は、温度調整庫筐体の内形の一部或いは全部を形成する円柱状の中心または中心近傍に中心を有するターンテーブルを、内部に一以上具備しても良い。かかる温度調整庫は、内部後方の物品を取り出すことが極めて容易である。
さらに、上記の温度調整庫は、スライドさせて開閉する扉に外ポケットを有することにより、内部の物品を取り出すことがさらに容易になる。
【００１９】
【発明の実施の形態】
以下に、本発明の実施の形態について、図面を用いて詳細に説明する。なお、冷蔵庫を例にとり、主として説明する。ただし、下記の技術は、冷蔵庫だけではなく、冷凍庫、保温庫、ワインクーラー等の温度調整庫に利用可能である。また、冷蔵庫は、一部に冷凍庫（冷凍室）を有していても良いことは言うまでもない。
【００２０】
図１は本発明の実施形態における冷蔵庫全体の正面斜図概略図である。本発明の冷蔵庫１は、該冷蔵庫筐体内側部が円柱状に形成される。外形は必ずしも円柱状となることを要しないが、内側面が円柱状であるので外形の一部または全部が円柱状になることが多い。
【００２１】
本発明の冷蔵庫１は、冷蔵室、冷凍室及び野菜室と、冷却室が３段に分けられるよう設計されたものであり、各冷却室前面部には開口部が設けられ、上段の冷蔵室には両開きのスライドドア２、２′、中段の冷凍室には１枚のスライドドア２２、下段の野菜室には両開きのスライドドア２２２，２２２′がそれぞれ具備されている。また、開口部に一つの扉（スライドドア２など）と他の扉（スライドドア２′など）を一対にして具備し、該一つの扉と他の扉が各々逆の方向に開閉する。ただし、冷却室の分け方やスライドドアの数及び位置などの構成は本実施例に拘束されるものではない。外形については、本実施例では後方に機械部を持つため円柱状になっていないが、機械部を基台部に収納することにより円柱状とすることも可能である。なお、３はドア取っ手である。また、４はコンプレッサーなどの機械が収納さされている機械部である。また、５は、冷蔵庫１の基台部である。
【００２２】
冷蔵庫１は、従来の冷蔵庫と異なり、ドアのスイングに必要な空間を要しないため、狭い場所にも設置が可能である。レール溝が１本で構成される本実施例ではスライドドアを後方部分に収納することにより最大１８０度という大きな開口を得ることができる。また、前面部を曲面で構成することにより、デザイン性に優れ、生活空間を彩るインテリア性を高める利点もある。
【００２３】
図２は、図１で記載した本発明の実施形態における冷蔵庫の冷蔵室のスライドドア開閉時の一断面概略図であり、図２（ａ）はスライドドアを開けたところの、図２（ｂ）はスライドドアを閉めたところの断面概略図である。本発明の実施形態のスライドドアは、一対の両開きのスライドドアであり、各々のスライドドアは上下に設けられたレール溝部８に沿って逆の方向に開けられる。最大の開口では、２枚のスライドドアは後面で接触し、このときの開口は１８０度となる。この例では円柱状の筐体の外側に冷却手段（機械部４）を有し、外形は円柱状になっていない。ドアを開いた時、スライドドアの一部は冷蔵室である円柱状の部分と後部平面状の部分の間に収納される。この例の形は平面状後面部を部屋の壁に近接させた状態で、部屋の壁側に設置されるときに便利である。
【００２４】
勿論、スライドドアが開けられた時、スライドドア後部が円柱状側面途中で停まるよう設計しても構わない。一方、ドアが閉められる時は、従来の冷蔵庫と同様に、ゴム或いは／及びマグネットによって密閉される。スライドドアはドア取っ手により手動式で開閉されるが、電動式でも開閉が可能である。また、一対の両開きスライドドアの場合、一方のドアを開閉すると同時に、残りのドアも連動して開閉するよう制御することも可能である。
【００２５】
また、図３に示すように本発明のスライドドアの外側に、ジュースやビールなどの被冷却物を納める冷却室（外側ドアポケット）を形成することも可能である。外側ドアポケット冷却室は、図３の１１、１１’である。外側ドアポケットは冷蔵室と交通し、冷気が冷蔵室から入り込むようになっている。図３（ａ）はスライドドアを開けたとき、図３（ｂ）は閉じたときの形態を示す。６及び７は、次に詳細に説明するターンテーブル及び軸を示す。本発明のスライドドアの開閉は、冷蔵庫前面に大きな空間を必要とせず、かつ開口部は広く設計が出来、冷蔵庫内部後方に置かれた被冷却物の出し入れが容易である。
【００２６】
なお、ターンテーブルの構造は、問わない。例えば、ターンテーブルの第一の構造は、冷蔵庫側面から反対側の側面に通した棒の中点に軸受けを置く構造である。また、ターンテーブルの第二の構造は、冷蔵庫後面（または側面）から円柱の中心に伸びるアームを作り、アームの先端に軸受けを置く構造である。また、ターンテーブルの第三の構造は、円柱の中心を上下に通す柱を作り、この柱でターンテーブルを支える構造である。さらに、ターンテーブルの第四の構造は、通常の冷蔵庫と同様の棚（もちろん円形）を置き、その棚にターンテーブルの円周と同じかまたは小さい円周をもつレール（図２の２１）を作成し、そのレール２１の上をターンテーブルが回転する構造である。
【００２７】
第一、第二の構造におけるターンテーブルは、重い物を載せた時、ターンテーブルがぐらつく可能性があるので、軽い積載物用によい。また、第三の構造におけるターンテーブルは、当該ターンテーブルはしっかり固定されるが、冷蔵庫の中を分断する支柱が入り、邪魔になる可能性がある。さらに、第四の構造におけるターンテーブルは、レール付きの棚をターンテーブルの下に置くので、冷蔵庫の中に邪魔な支柱を要さず、重い物を積載してもターンテーブルが傾くことはないので、好適である。
【００２８】
図４は、図１、２及び図３で記載した本発明の実施形態における冷蔵庫冷蔵室の正面断面概略図である。ターンテーブル６は軸７によって回転する。図４では、軸７は冷蔵室内壁下部１２に設置されているが、冷蔵室内壁上部１３から設置されても良く、また内壁上部１３と内壁下部１２の両方から設置されても良い。本発明の冷蔵庫は、従来の直方体状の冷蔵庫に比べて開口部が広いため奥の方に入れられた被冷却物を出し入れし易いが、ターンテーブル６の設置により更に出し入れし易くなる。
【００２９】
図５は、本発明の別の実施形態における冷蔵庫全体の正面斜図概略図である。本発明の冷蔵庫５１は、該冷蔵庫筐体内形側面部の約８０％が円柱状に形成され、点線で図示される約２０％が平面状に形成される。なお、冷蔵庫筐体の内形と外形の形状について、筐体の厚さによる大きさがことなるだけで、内形と外形の形状は同様である。ただし、円柱状前面部１４と平面状後面部１５の構成比率は本実施例に拘束されるものではない。本発明の冷蔵庫５１は、冷蔵室、冷凍室及び野菜室と冷却室が３段に分けられるよう設計されたものであり、各冷却室前面部には開口部が設けられ、冷蔵室には両開きのスライドドア２、２′、冷凍室及び野菜室には引出し扉１６及び１６′がそれぞれ構成されている。ただし、冷却室の分け方やスライドドアと引出し扉の数及び位置などの構成は本実施例に拘束されるものではない。
【００３０】
図６は、本発明のまた別の実施形態における冷蔵庫６１全体の正面斜図概略図である。本発明の冷蔵庫６１は、筐体の円柱状部と平面状部の構成比率は図５の実施形態と同様に形成されたものであり、冷却室も図５の実施形態と同様に設計されたものである。各冷却室の開口部は冷蔵室が両開きスライドドア２及び２′、冷凍室が両開きスライドドア４４及び４４′の２組が設けられ、かつ最下段の野菜室に引出し扉１６が設けられたものである。
【００３１】
図７は、本発明の別の実施形態における冷蔵庫７１全体の正面斜図概略図である。冷蔵庫７１の筐体上部の内形、および外形が略円柱状（一部が円柱状）に形成され、冷蔵庫筐体下部の内形、および外形が直方体状に形成されたものである。本発明の冷蔵庫７１は、筐体の約６０％が円柱で上部に形成され、筐体の約４０％が直方体で下部に形成されたものである。円柱状部と直方体部の構成位置及び比率はこれら実施例に拘束されるものではない。
【００３２】
図８は、本発明に係わる冷蔵庫の基本設計を決める冷蔵庫筐体の外形または内形の実施形態のいくつかを示す断面概略図である。
図８（ｃ）は図１、２、３に説明した実施例の冷蔵庫筐体内形の断面概略図である。また、図８（ｆ）は図１，２，３で説明した実施例の冷蔵庫の外形の断面概略図である。図８（ａ）は図５，６で説明した冷蔵庫の内形、および外形の断面概略図である。図８（ｂ）は半円柱状と直角三角柱状とで構成される本発明の冷蔵庫筐体内形の断面概略図である。図８（ｃ）は全部が円柱状に構成される本発明の冷蔵庫筐体内形の断面概略図である。図８（ｄ）は半円柱状と直方体状とで構成される本発明の冷蔵庫筐体内形の断面概略図である。図８（ｅ）は半円柱状で構成される本発明の冷蔵庫筐体内形の断面概略図である。図８（ｆ）は円柱状と小さな直方体状とで構成される本発明の冷蔵庫筐体内形の断面概略図である。なお、上記の冷蔵庫筐体内形は、冷蔵庫筐体外形と、同じであっても、異なっていても良い。特に、図８（ａ）、（ｄ）、（ｅ）、（ｆ）において、冷蔵庫筐体外形も同様の形状である場合、冷蔵庫は、部屋の壁面に近接して設置するのに便利である。更に図８（ｂ）においては、部屋のコーナーに設置することができる。勿論、冷蔵庫筐体の円柱状部は、必要に応じていかなる多角柱状と組み合わせても良いし、円柱状部の構成比率は本実施例に拘束されるものではない。
【００３３】
図９から図１２は、図８（ｂ）に記載された本発明の実施形態における冷蔵庫の断面概略図である。図９は、両開きスライドドア２、２´に小型のポケット冷却室１１、１１´を具備した実施例である。本実施例は、部屋の隅など両壁面に近接させて設置することができるように設計された。従って、図９（ａ）に示すように、スライドドアが開かれた時、スライドドア後部１７、１７´は冷蔵庫平面状後面部１５と同一延長線上で止められる。また、小型のポケット冷却室１１及び１１´が、スライドドア前面部に具備されたものである。ポケット冷却室は、ジュースやビールなどの被冷却物を納める冷却室である。ポケット冷却室にはドアが設けられ、ジュースやビールを簡単に出し入れが出来る。ポケット冷却室は、スライドドアの一部に設けても良いし、全面部に設けても良い。また、ポケット冷却室のドアは、本発明のスライドドアを設けても良いし、従来のスイングドア、或いはポケット冷却室上部に蓋状ドアを設けても良く、特に制限されるものではない。本実施例では、ポケット冷却室１１及び１１´上部に図示されない蓋状ドアを設け、図９（ｂ）に示すようにスライドドアが閉じられた時にもコンパクト性が追求されたものである。
【００３４】
図１０は、冷蔵庫開口部を大きく設けた実施例である。本実施例は、図９の実施例より冷蔵庫内部の被冷却物の出し入れを容易にすることができる。図１０（ａ）に示すように、スライドドアが開かれた時、スライドドア後部１７、１７´は冷蔵庫平面状後面部１５へ大きく入り込む。しかしながら、本実施例では、冷蔵庫平面状後面部１５より手前（Ａ−Ａ´）で止められるよう設計されたものである。勿論、両開き及び片開きのいずれのスライドドアにおいても、スライドドアが開けられた時、スライドドア後部が背面部側面の更に後方で停まるよう設計しても良いし、また、円柱状側面途中で停まるよう設計しても構わない。また、ポケット冷却室１１及び１１´はスライドドア全面に大きく設けられている。なお、図１０（ｂ）はスライドドアが閉められた状態を示す。また、ポケット冷却室１１及び１１´はスライドドアの下部の一部の領域に設けられていても良い。かかる場合、ポケット冷却室のドアはポケット冷却室の上部に設けられていることが好適である。
【００３５】
図１１及び図１２は、図９及び図１０と異なり、片開きスライドドアを設けた実施例である。図１１（ａ）（ｂ）は、片開きスライドドア２が開かれた時及び閉められた時を示す。本実施例は、基本的に低コストで簡単な構成の冷蔵庫を提供するよう設計されたものである。この場合、冷蔵庫内部への被冷却物の出し入れは片側の開口部より成される。勿論、開口部をどちら側に設計するかは拘束されるものではない。一方、図１２は、片開きスライドドアを設けた実施例であるが、スライドドア２及び２´の両方が動くよう設計されたものである。このため、レール溝はそれぞれに設けられ、レール溝（レール溝部）８及び８´が具備されたものである。本実施例のように、スライドドアのレール溝を複数設けることにより、いずれの方向からも被冷却物の出し入れが可能となる。
【００３６】
いずれにしても本発明は、図８に示すように冷蔵庫筐体を自由に設計することが可能であり、かつ、図２、３、９、１０、１１、１２に示すように、スライドドアを自由に設計することが可能である。
【００３７】
【発明の効果】
本発明によれば、温度調整手段により内部の温度を調整する温度調整庫であって、当該温度調整庫筐体の内形の一部或いは全部が円柱状に形成され、該円柱状側面に沿って設けられる開口部に、スライドさせて開閉する扉を具備することを特徴とする温度調整庫により、ドア開閉時に温度調整庫前面部に大きな空間部を必要とせず、大きな開口面積を得られることから内部の物品の出し入れが容易になる。
【図面の簡単な説明】
【図１】本発明の実施形態における冷蔵庫全体の正面斜図概略図
【図２】本発明の実施形態における冷蔵庫冷蔵室のスライドドア開閉時の一断面概略図
【図３】本発明の実施形態におけるポケット冷却室を持つ冷蔵庫冷蔵室のスライドドア開閉時の一断面概略図
【図４】本発明の実施形態における冷蔵庫冷蔵室の正面断面概略図
【図５】本発明の別の実施形態における冷蔵庫全体の正面斜図概略図
【図６】本発明のまた別の実施形態における冷蔵庫全体の正面斜図概略図
【図７】本発明のまた別の実施形態における冷蔵庫全体の正面斜図概略図
【図８】本発明に係わる基本設計を決める冷蔵庫筐体の内形および外形を示す断面概略図
【図９】本発明に係わる両開きスライドドアの実施形態における断面概略図
【図１０】本発明に係わる両開きスライドドアの別の実施形態における断面概略図
【図１１】本発明に係わる片開きスライドドアの別の実施形態における断面概略図
【図１２】本発明に係わる複数のレール溝を有するスライドドアの実施形態における断面概略図
【符号の説明】
１、５１、６１  冷蔵庫
２、２′、２２、２２′、４４、４４′、２２２、２２２′  スライドドア
３  ドア取っ手
４  機械部
５  基台部
６  ターンテーブル
７  ターンテーブル軸
８  レール溝部
９  筐体側面部
１０  筐体後面部
１１、１１´  外側ドアポケット冷却室
１２  冷蔵室内壁下部
１３  冷蔵室内壁上部
１４  円柱状前面部
１５  平面状背後面部
１６、１６′  引出し扉
１７、１７′  スライドドア後部
２１  ターンテーブルを回すレール
【図１】
2005009698.tif 000003
【図２】
2005009698.tif 000004
【図３】
2005009698.tif 000005
【図４】
2005009698.tif 000006
【図５】
2005009698.tif 000007
【図６】
2005009698.tif 000008
【図７】
2005009698.tif 000009
【図８】
2005009698.tif 000010
【図９】
2005009698.tif 000011
【図１０】
2005009698.tif 000012
【図１１】
2005009698.tif 000013
【図１２】
2005009698.tif 000014